(57)【特許請求の範囲】
【請求項１】
ハンドヘルド・モードを自動的に切り替えるための方法であって、
無線ハンドヘルド装置のハンドヘルド位置が前記無線ハンドヘルド装置の事前設定した第１のハンドヘルド・モードとマッチしない期間が第１の事前設定期間を超えたことが検出されたときに、前記第１のハンドヘルド・モードにマッチする第１のユーザ・インタフェースを第２のハンドヘルド・モードにマッチする第２のユーザ・インタフェースに更新するステップであって、前記第２のユーザ・インタフェース上のコントロールのレイアウトは前記第１のユーザ・インタフェース上のコントロールのレイアウトを左右反転したものであるステップ、
を含み、
少なくとも、
（１）前記無線ハンドヘルド装置がユーザの中指、薬指、および小指により固定され、親指および人差し指が固定状態ではなく可動状態にあること、
（２）親指、中指、薬指、および小指が引き下がり、前記無線ハンドヘルド装置を軽く保持し、人差し指が前記無線ハンドヘルド装置の背面に対する支持点の役割を果たすこと、
（３）親指が前面の遠く離れた中点にあり、残りの４つの指が他の側で前記無線ハンドヘルド装置を保持して、前記無線ハンドヘルド装置全体が直立に保持されること、および、
（４）親指と人差し指が前記無線ハンドヘルド装置の一方の側にあり、薬指と小指が前記無線ハンドヘルド装置の反対側にあり、中指が前記無線ハンドヘルド装置の上部中央にあること、
のうち何れかの条件が満たされた場合に、前記無線ハンドヘルド装置が右手で保持されていると判定される、
方法。
【請求項２】
前記無線ハンドヘルド装置のハンドヘルド位置が前記無線ハンドヘルド装置の前記第２のハンドヘルド・モードにマッチしない期間が第２の事前設定期間を超えたことが検出されたときに、前記第２のユーザ・インタフェースを前記第１のユーザ・インタフェースに更新するステップをさらに含む、請求項１に記載の方法。
【請求項３】
無線ハンドヘルド装置のハンドヘルド位置が前記無線ハンドヘルド装置の事前設定した第１のハンドヘルド・モードとマッチしない期間が第１の事前設定期間を超えたことが検出されたときに、前記第１のハンドヘルド・モードにマッチする第１のユーザ・インタフェースを第２のハンドヘルド・モードにマッチする第２のユーザ・インタフェースに更新するステップは、
前記無線ハンドヘルド装置がユーザ・インタフェース・ロック状態にあり、前記無線ハンドヘルド装置のハンドヘルド位置が前記無線ハンドヘルド装置の前記事前設定した第１のハンドヘルド・モードとマッチしない期間が前記第１の事前設定期間を超えたことが検出されたときに、前記第１のハンドヘルド・モードにマッチする前記第１のユーザ・インタフェースを前記第２のハンドヘルド・モードにマッチする前記第２のユーザ・インタフェースに更新するステップ、
または、
前記無線ハンドヘルド装置がユーザ・インタフェース非ロック状態にあり、前記無線ハンドヘルド装置のハンドヘルド位置が前記無線ハンドヘルド装置の前記事前設定した第１のハンドヘルド・モードとマッチしない期間が前記第１の事前設定期間を超えたことが検出されたときに、前記第１のハンドヘルド・モードにマッチする前記第１のユーザ・インタフェースを前記第２のハンドヘルド・モードにマッチする前記第２のユーザ・インタフェースに更新するステップ
を含む、請求項１または２に記載の方法。
【請求項４】
前記無線ハンドヘルド装置のハンドヘルド位置が前記無線ハンドヘルド装置の前記第２のハンドヘルド・モードにマッチしない期間が第２の事前設定期間を超えたことが検出されたときに、前記第２のユーザ・インタフェースを前記第１のユーザ・インタフェースに更新するステップは、
前記無線ハンドヘルド装置がユーザ・インタフェース非ロック状態にあり、前記無線ハンドヘルド装置のハンドヘルド位置が前記無線ハンドヘルド装置の前記第２のハンドヘルド・モードにマッチしない期間が前記第２の事前設定期間を超えることが検出されたときに、前記第２のユーザ・インタフェースを前記第１のユーザ・インタフェースに更新するステップ、
または、
前記無線ハンドヘルド装置がユーザ・インタフェース・ロック状態にあり、前記無線ハンドヘルド装置のハンドヘルド位置が前記無線ハンドヘルド装置の前記第２のハンドヘルド・モードにマッチしない期間が前記第２の事前設定期間を超えることが検出されたときに、前記第２のユーザ・インタフェースを前記第１のユーザ・インタフェースに更新するステップ
を含む、請求項２または３に記載の方法。
【請求項５】
無線ハンドヘルド装置であって、
センサと、
前記センサに接続された少なくとも１つのプロセッサであって、前記プロセッサは、前記無線ハンドヘルド装置のハンドヘルド位置が前記無線ハンドヘルド装置の事前設定した第１のハンドヘルド・モードにマッチしない期間が第１の事前設定期間を超えたことを前記センサが検出したときに、前記第１のハンドヘルド・モードにマッチする第１のユーザ・インタフェースを第２のハンドヘルド・モードにマッチする第２のユーザ・インタフェースに更新するように構成され、前記第２のユーザ・インタフェース上のコントロールのレイアウトは前記第１のユーザ・インタフェース上のコントロールのレイアウトを左右反転したものである、プロセッサと、
を備え、
少なくとも、
（１）前記無線ハンドヘルド装置がユーザの中指、薬指、および小指により固定され、親指および人差し指が固定状態ではなく可動状態にあること、
（２）親指、中指、薬指、および小指が引き下がり、前記無線ハンドヘルド装置を軽く保持し、人差し指が前記無線ハンドヘルド装置の背面に対する支持点の役割を果たすこと、
（３）親指が前面の遠く離れた中点にあり、残りの４つの指が他の側で前記無線ハンドヘルド装置を保持して、前記無線ハンドヘルド装置全体が直立に保持されること、および、
（４）親指と人差し指が前記無線ハンドヘルド装置の一方の側にあり、薬指と小指が前記無線ハンドヘルド装置の反対側にあり、中指が前記無線ハンドヘルド装置の上部中央にあること、
のうち何れかの条件が満たされた場合に、前記無線ハンドヘルド装置が右手で保持されていると判定される、
無線ハンドヘルド装置。
【請求項６】
前記プロセッサはさらに、前記無線ハンドヘルド装置のハンドヘルド位置が前記無線ハンドヘルド装置の前記第２のハンドヘルド・モードにマッチしない期間が第２の事前設定期間を超えたことを前記センサが検出したときに、前記第２のユーザ・インタフェースを前記第１のユーザ・インタフェースに更新するように構成された、請求項５に記載の無線ハンドヘルド装置。
【請求項７】
前記プロセッサはさらに、前記無線ハンドヘルド装置がユーザ・インタフェース・ロック状態にあり、前記無線ハンドヘルド装置のハンドヘルド位置が前記無線ハンドヘルド装置の前記事前設定した第１のハンドヘルド・モードとマッチしない期間が前記第１の事前設定期間を超えたことを前記センサが検出したときに、前記第１のハンドヘルド・モードにマッチする前記第１のユーザ・インタフェースを前記第２のハンドヘルド・モードにマッチする前記第２のユーザ・インタフェースに更新するように構成された、請求項５または６に記載の無線ハンドヘルド装置。
【請求項８】
前記プロセッサはさらに、前記無線ハンドヘルド装置がユーザ・インタフェース非ロック状態にあり、前記無線ハンドヘルド装置のハンドヘルド位置が前記無線ハンドヘルド装置の前記事前設定した第１のハンドヘルド・モードとマッチしない期間が前記第１の事前設定期間を超えたことを前記センサが検出したときに、前記第１のハンドヘルド・モードにマッチする前記第１のユーザ・インタフェースを前記第２のハンドヘルド・モードにマッチする前記第２のユーザ・インタフェースに更新するように構成された、請求項５乃至７の何れか１項に記載の無線ハンドヘルド装置。
【請求項９】
前記プロセッサはさらに、前記無線ハンドヘルド装置がユーザ・インタフェース非ロック状態にあり、前記無線ハンドヘルド装置のハンドヘルド位置が前記無線ハンドヘルド装置の前記第２のハンドヘルド・モードにマッチしない期間が第２の事前設定期間を超えたことを前記センサが検出したときに、前記第２のユーザ・インタフェースを前記第１のユーザ・インタフェースに更新するように構成された、請求項５乃至８の何れか１項に記載の無線ハンドヘルド装置。
【請求項１０】
前記プロセッサはさらに、前記無線ハンドヘルド装置がユーザ・インタフェース・ロック状態にあり、前記無線ハンドヘルド装置のハンドヘルド位置が前記無線ハンドヘルド装置の前記第２のハンドヘルド・モードにマッチしない期間が第２の事前設定期間を超えたことを前記センサが検出したときに、前記第２のユーザ・インタフェースを前記第１のユーザ・インタフェースに更新するように構成された、請求項５乃至９の何れか１項に記載の無線ハンドヘルド装置。
【発明の詳細な説明】
【技術分野】
【０００１】
本発明は、通信技術の分野に関し、特に、ハンドヘルド・モードを自動的に切り替えるための方法および無線ハンドヘルド装置に関する。
【背景技術】
【０００２】
今日、技術の進歩により、無線ハンドヘルド装置（例えば、携帯電話）は既に人々にとって必要な通信ツールとなっている。特に、タッチスクリーンを有する無線ハンドヘルド装置の普及により、無線ハンドヘルド装置のキーが基本的にタッチスクリーンで置き換えられている。無線ハンドヘルド装置のタッチスクリーン上のアプリケーション・アイコンまたは機能アイコンの位置は一般に、無線ハンドヘルド装置を右手で操作する便宜のために設計されている。
【発明の概要】
【発明が解決しようとする課題】
【０００３】
しかし、かかる無線ハンドヘルド装置は左利きのユーザまたは無線ハンドヘルド装置を左手で操作する必要があるユーザには不便である。
【課題を解決するための手段】
【０００４】
上記に鑑み、本発明の諸実施形態では、ハンドヘルド・モードを自動的に切り替えるための方法と無線ハンドヘルド装置を提供する。これらは、ハンドヘルド・モードを自動的に切り替えることができ、それによりユーザの操作が促進される。
【０００５】
１態様によれば、無線ハンドヘルド装置のハンドヘルド位置が無線ハンドヘルド装置の事前設定した第１のハンドヘルド・モードとマッチしない期間が第１の事前設定期間を超えたことが検出されたときに、第１のハンドヘルド・モードにマッチする第１のユーザ・インタフェースを第２のハンドヘルド・モードにマッチする第２のユーザ・インタフェースに更新するステップであって、第２のユーザ・インタフェース上のコントロールのレイアウトは第１のユーザ・インタフェース上のコントロールのレイアウトを左右反転したものであるステップを含む、ハンドヘルド・モードを自動的に切り替えるための方法を提供する。
【０００６】
別の態様によれば、センサと、当該センサに接続された少なくとも１つのプロセッサであって、当該プロセッサは、当該センサが、無線ハンドヘルド装置のハンドヘルド位置が無線ハンドヘルド装置の事前設定した第１のハンドヘルド・モードにマッチしない期間が第１の事前設定期間を超えたことを検出したときに、第１のハンドヘルド・モードにマッチする第１のユーザ・インタフェースを第２のハンドヘルド・モードにマッチする第２のユーザ・インタフェースに更新するように構成され、第２のユーザ・インタフェース上のコントロールのレイアウトは第１のユーザ・インタフェース上のコントロールのレイアウトを左右反転したものであるプロセッサと、を備えた無線ハンドヘルド装置を提供する。
【０００７】
本発明の諸実施形態に従うハンドヘルド・モードを自動的に切り替えるための方法と無線ハンドヘルド装置により、ハンドヘルド・モードの自動的な切替えを実現することができ、ユーザがより便利に無線ハンドヘルド装置を片手で使用することができる。
【０００８】
本発明の諸実施形態または先行技術における技術的解決策をより明確に説明するために、以下では当該諸実施形態または先行技術を説明するのに必要な添付図面を簡単に説明する。明らかに以下の説明における添付図面は本発明の諸実施形態の一部を示すにすぎず、当業者は創造的作業なしにこれらの添付図面に従って他の図面を導出することができる。
【図面の簡単な説明】
【０００９】
【図１】本発明の１実施形態に従うハンドヘルド・モードを自動的に切り替えるための方法の流れ図である。
【図２Ａ】ユーザが左手で無線ハンドヘルド装置を保持することを示す略ブロック図である。
【図２Ｂ】ユーザが右手で無線ハンドヘルド装置を保持することを示す略ブロック図である。
【図３Ａ】ユーザが左手で無線ハンドヘルド装置を保持することを示す別の略ブロック図である。
【図３Ｂ】ユーザが右手で無線ハンドヘルド装置を保持することを示す別の略ブロック図である。
【図４Ａ】ユーザが左手で無線ハンドヘルド装置を保持することを示すさらに別の略ブロック図である。
【図４Ｂ】ユーザが右手で無線ハンドヘルド装置を保持することを示すさらに別の略ブロック図である。
【図４Ｃ】ユーザが左手で無線ハンドヘルド装置を保持することを示すさらに別の略ブロック図である。
【図４Ｄ】ユーザが右手で無線ハンドヘルド装置を保持することを示すさらに別の略ブロック図である。
【図５Ａ】ユーザが左手で無線ハンドヘルド装置を保持することを示すさらに別の略ブロック図である。
【図５Ｂ】ユーザが右手で無線ハンドヘルド装置を保持することを示すさらに別の略ブロック図である。
【図６Ａ】ユーザが左手で無線ハンドヘルド装置を保持することを示すさらに別の略ブロック図である。
【図６Ｂ】ユーザが右手で無線ハンドヘルド装置を保持することを示すさらに別の略ブロック図である。
【図７】本発明の１実施形態に従うハンドヘルド・モードを自動的に切り替えるための別の方法の流れ図である。
【図８Ａ】本発明の１実施形態に従うユーザ・インタフェースの略図である。
【図８Ｂ】本発明の１実施形態に従うユーザ・インタフェースの略図である。
【図９Ａ】本発明の１実施形態に従う別のユーザ・インタフェースの略図である。
【図９Ｂ】本発明の１実施形態に従う別のユーザ・インタフェースの略図である。
【図１０】本発明の１実施形態に従う無線ハンドヘルド装置の略図である。
【発明を実施するための形態】
【００１０】
本発明の目的、技術的解決策、および利点をより分かり易くするために、添付図面を参照し４つの実施形態を例として用いて本発明をさらに詳細に説明する。
【００１１】
先ず、本発明の諸実施形態で説明する無線ハンドヘルド装置に、様々な標準の携帯電話、様々なオペレーティング・システムに基づくスマートフォン、および携帯情報端末ＰＤＡのような、タッチスクリーンを具備した電子装置が含まれるがこれらに限られないことに留意されたい。タッチスクリーンが、例えば、タッチセンシティブ・ディスプレイといった別の名前を有してもよく、本明細書では限定されない。
【００１２】
本発明の諸実施形態を、以下の詳細な議論を参照して説明する。添付図面は当該諸実施形態を示すものである。以下の説明と図面は、本発明を例示するためのものであるが、本発明に対する限定としては説明されない。本発明の諸実施形態を十分に理解するのを容易にするために、多数の具体的な詳細を説明する。しかし、幾つかの実施形態では、本発明の諸実施形態の議論を簡単にするために、周知のまたは従来からある細部は説明しない。
【００１３】
以下の詳細な説明の一部はアルゴリズムによって提示されている。これらのアルゴリズムは、コンピュータのメモリに格納されたデータに対する動作を含む。当該アルゴリズムは一般に、期待した結果を得るための一連の動作である。これらの動作には一般に、物理量の物理的な操作が必要である。一般に（必要ではないが）、これらの量は、格納し、送信し、結合し、比較し、他の方式で操作できる電気信号または磁気信号の形をとる。しばしば、主に共通的な使用のために、これらの信号をビット、値、要素、シンボル、文字、アイテム、番号等と称するのが好都合であることが分かっている。
【００１４】
しかし、これらの用語および同様な用語は全て、適切な物理量に関連付けられ、これらの量に適用された好都合なラベルにすぎない。特に断らない限り、または、以下の議論から明らかなように、本明細書にわたって、「配置する」、「検出する」、「マッチする」、「超える」、「実施する」、「更新する」等のような用語を用いた議論は、データ処理システムまたはそれに類する電子装置の動作および処理について言及することは理解される。データ処理システムまたは電子装置は、レジスタおよびシステムのメモリ内の物理（電子）量として表現されたデータを操作し、当該データを、レジスタまたはメモリまたは情報を格納し、送信し、もしくは表示するタイプの別の装置内の物理量として同様に表された他のデータに変換する。
【００１５】
実施形態１
実施形態１で提供するハンドヘルド・モードを自動的に切り替えるための方法に関して、図１を参照する。当該方法は具体的には以下の通りである。
【００１６】
１０１では、無線ハンドヘルド装置のハンドヘルド位置が無線ハンドヘルド装置の事前設定した第１のハンドヘルド・モードとマッチしない期間が第１の事前設定期間を超えたことが検出されたときに、第１のハンドヘルド・モードにマッチする第１のユーザ・インタフェースを第２のハンドヘルド・モードにマッチする第２のユーザ・インタフェースに更新する。ここで、第２のユーザ・インタフェース上のコントロールのレイアウトは第１のユーザ・インタフェース上のコントロールのレイアウトを左右反転したものである。
【００１７】
本発明の当該実施形態では、ハンドヘルド・モードには左手モードと右手モードが含まれることに留意されたい。左手モードとは、無線ハンドヘルド装置を左手で操作するのに好都合なモードであり、右手モードとは、無線ハンドヘルド装置を右手で操作するのに好都合なモードである。明らかに、左手モードと右手モードが別の名前を有してもよく、本明細書では限定されない。本発明の当該実施形態では、上記第１のハンドヘルド・モードが右手モードであり上記第２のハンドヘルド・モードが左手モードである例を説明に使用する。第１のユーザ・インタフェースは第１のハンドヘルド・モードにマッチするユーザ・インタフェースであり、第２のユーザ・インタフェースは第２のハンドヘルド・モードにマッチするユーザ・インタフェースである。第２のユーザ・インタフェース上のコントロールのレイアウトは、第１のユーザ・インタフェース上のコントロールのレイアウトを左右反転したものである。例えば、図８に示すように、第１のユーザ・インタフェース上のコントロールのレイアウトを図８Ａに示すならば、第２のユーザ・インタフェース上のコントロールのレイアウトが図８Ｂのように示される。または、図９に示すように、第１のユーザ・インタフェース上のコントロールのレイアウトを図９Ａに示すならば、第２のユーザ・インタフェース上のコントロールのレイアウトが図９Ｂのように示される。
【００１８】
第１のユーザ・インタフェースの背景と第２のユーザ・インタフェースの背景が同一であっても異なってもよいことは理解される。さらに、無線ハンドヘルド装置が、ハンドヘルド・モードに対する少なくとも２つのユーザ・インタフェース、即ち、第１のハンドヘルド・モードにマッチする第１のユーザ・インタフェースと第２のハンドヘルド・モードにマッチする第２のユーザ・インタフェースを有する。第２のユーザ・インタフェース上のコントロールのレイアウトは、第１のユーザ・インタフェース上のコントロールのレイアウトを左右反転したものである。
【００１９】
無線ハンドヘルド装置の事前設定されたハンドヘルド・モードが第１のハンドヘルド・モード（即ち、右手モード）であるとき、ユーザ・インタフェース・ロック状態である無線ハンドヘルド装置のユーザ・インタフェースとユーザ・インタフェース非ロック状態である無線ハンドヘルド装置のユーザ・インタフェースの両方が第１のハンドヘルド・モードにマッチする第１のユーザ・インタフェースに属する、即ち、第１のユーザ・インタフェースは、任意の状態の無線ハンドヘルド装置のグラフィカル・インタラクティブ・インタフェースおよび／またはグラフィカル・インタラクティブ・インタフェースオブジェクトを含むことは理解される。例えば、無線ハンドヘルド装置がユーザ・インタフェース・ロック状態にあり、第１のユーザ・インタフェースが、グラフィカル・インタラクティブ・インタフェース（例えば、図９Ａに示す背景）およびグラフィカル・インタラクティブ・インタフェースオブジェクト（例えば、図９Ａに示すアンロック・アイコンおよびアンロック・パス）を含むように表示される。無線ハンドヘルド装置が第２のハンドヘルド・モード（即ち、左手モード）に切り替わったとき、ユーザ・インタフェース・ロック状態である無線ハンドヘルド装置のユーザ・インタフェースとユーザ・インタフェース非ロック状態である無線ハンドヘルド装置のユーザ・インタフェースの両方が第２のハンドヘルド・モードにマッチする第２のユーザ・インタフェースに属する、即ち、第２のユーザ・インタフェースが、任意の状態の無線ハンドヘルド装置のグラフィカル・インタラクティブ・インタフェースおよび／またはグラフィカル・インタラクティブ・インタフェースオブジェクトを含む。例えば、無線ハンドヘルド装置がユーザ・インタフェース・ロック状態にあるとき、第２のユーザ・インタフェースは、グラフィカル・インタラクティブ・インタフェース（例えば、図９Ｂに示す背景）およびグラフィカル・インタラクティブ・インタフェースオブジェクト（例えば、図９Ｂに示すアンロック・アイコンおよびアンロック・パス）を含むように表示される。図９Ａの背景と図９Ｂの背景が同一であっても異なってもよく、本明細書では限定されないことに留意されたい。さらに、図９Ａの背景と図９Ｂの背景は示されていない。
【００２０】
無線ハンドヘルド装置が、無線ハンドヘルド装置のハンドヘルド位置が無線ハンドヘルド装置の事前設定した第１のハンドヘルド・モードとマッチしない期間が第１の事前設定期間を超えたことを検出したとき、無線ハンドヘルド装置は、第１のハンドヘルド・モードにマッチする第１のユーザ・インタフェースを第２のハンドヘルド・モードにマッチする第２のユーザ・インタフェースに更新する。ここで、第２のユーザ・インタフェース上のコントロールのレイアウトは、第１のユーザ・インタフェース上のコントロールのレイアウトを左右反転したものである。
【００２１】
無線ハンドヘルド装置は、タッチ検出技術および／または圧力検知技術に基づいて、無線ハンドヘルド装置のハンドヘルド位置を取得してもよい。
【００２２】
具体的には、例えば、１つまたは複数のセンサが、無線ハンドヘルド装置の各面で構成される。当該センサは、抵抗型センサ、静電容量センサ、誘導センサ、圧力センサ、圧電センサ等のうち１つまたは複数であってもよい。ユーザが無線ハンドヘルド装置を保持するとき、無線ハンドヘルド装置が、タッチ検出技術および／または圧力検知技術に従って、無線ハンドヘルド装置のハンドヘルド位置を検出でき、それにより、検出された無線ハンドヘルド装置のハンドヘルド位置が事前設定された第１のハンドヘルド・モードとマッチするかどうかを判定する。
【００２３】
タッチ検出技術をタッチ・センシング技術と称してもよく、タッチ検出技術を用いたタッチ・センサには一般に抵抗型センサ、誘導センサ、および静電容量センサが含まれることは理解される。当該タッチ・センサは、好都合な制御方式を提供することができ、任意の種類の近傍装置を制御するために使用することができる。今日、タッチ・センサは、スライダや近傍センサのような、幾つかの汎用的な性能オプションや形態を提供することができる。タッチ・センサ技術の発展と進歩により、当該センサの駆動型インタフェースを実現するのが容易になり、したがって、タッチ・センサ技術は様々な種類の無線ハンドヘルド装置により容易に適用される。今日、比較的広範囲に適用されている静電容量センサは、検出された静電容量の変化に応じて動作する。即ち、導体または人間がタッチ静電容量センサの導体金属板に接近または接触すると、指と金属板の間の静電容量が変化し、制御回路が当該変化を検出することができる。したがって、タッチ・センサは一般に、センサ・ガスケットに接続された回路のインピーダンスを測定することで静電容量の変化を検出し、それにより、タッチ事象が発生したかどうかを判定する。
【００２４】
圧力センサとは、液体や気体の圧力を測定するためのセンサである。圧力センサは、圧力を電気信号に変換し当該電気信号を出力するセンサであり、一般に、弾性検知要素と変位検知要素（または歪計）で構成される。弾性検知要素の機能は、測定した圧力を特定の領域に作用させ、当該圧力を変位または歪に変換することである。当該変位または歪は、変位検知要素または歪計により、圧力と特定の関係を有する電気信号に変換される。弾性検知要素と変位検知要素の機能を統合してもよい。圧力センサは業界の事例で最も広く適用されているセンサであり、一般的に使用されている圧力センサは、圧電効果を用いて製造され、かかるセンサは一般に圧電効果センサと呼ばれる。
【００２５】
以下では、特に、無線ハンドヘルド装置の制御を例とし、ユーザが図２Ａ乃至図６Ｂの無線ハンドヘルド装置のような端末を保持することを示す略ブロック図を参照して、どのように無線ハンドヘルド装置が無線ハンドヘルド装置のハンドヘルド位置に従って、無線ハンドヘルド装置が左手で保持されているか右手で保持されているかを判定するかを説明する。
【００２６】
図２Ａ乃至図６Ｂに示す略図では、長方形の箱が無線ハンドヘルド装置を表し、Ａ、Ｂ、Ｃ、Ｄ、およびＥはそれぞれ親指、人差し指、中指、薬指、および小指を表す。実際のアプリケーションでは、様々な無線ハンドヘルド装置の外観や様々なユーザの使用習慣のため、無線ハンドヘルド装置上のユーザの指の位置の分布は或る程度異なるかもしれないことは理解される。しかし、これらの例は本発明の諸実施形態を説明するために使用されるにすぎず、本発明に対する限定を構成するものではない。
【００２７】
図２Ａおよび図２Ｂは、それぞれ、ユーザが左手と右手で無線ハンドヘルド装置を保持することを示す略図である。図２Ａおよび図２Ｂでは、無線ハンドヘルド装置上の無線ハンドヘルド装置のハンドヘルド位置の分布は特に以下の通りである。即ち、無線ハンドヘルド装置はユーザの中指Ｃ、薬指Ｄ、および小指Ｅにより固定され、親指Ａおよび人差し指Ｂが固定状態ではなく可動状態にある。したがって、無線ハンドヘルド装置が、無線ハンドヘルド装置上の無線ハンドヘルド装置のハンドヘルド位置の分布が図２Ａに示すのと同じであることを検出したとき、無線ハンドヘルド装置は、当該位置の分布に従って、無線ハンドヘルド装置が左手で保持されていると判定することができ、無線ハンドヘルド装置が、無線ハンドヘルド装置上の無線ハンドヘルド装置のハンドヘルド位置の分布は図２Ｂに示すのと同じであることを検出したとき、無線ハンドヘルド装置は、当該位置の分布に従って、無線ハンドヘルド装置が右手で保持されていると判定することができる。
【００２８】
図３Ａおよび図３Ｂは、それぞれ、ユーザが左手と右手で無線ハンドヘルド装置を保持することを示す略図である。図３Ａおよび図３Ｂでは、無線ハンドヘルド装置上の無線ハンドヘルド装置のハンドヘルド位置の分布は特に以下の通りである。即ち、親指Ａ、中指Ｃ、薬指Ｄ、および小指Ｅが引き下がり、無線ハンドヘルド装置を軽く保持し、人差し指Ｂが無線ハンドヘルド装置の背面に対する支持点の役割を果たす。したがって、無線ハンドヘルド装置が、無線ハンドヘルド装置上の無線ハンドヘルド装置のハンドヘルド位置の分布は図３Ａに示すのと同じであることを検出したとき、無線ハンドヘルド装置は、当該位置の分布に従って、無線ハンドヘルド装置が左手で保持されていると判定することができる。無線ハンドヘルド装置が、無線ハンドヘルド装置上の無線ハンドヘルド装置のハンドヘルド位置の分布が図３Ｂに示すのと同じであることを検出したとき、無線ハンドヘルド装置が、当該位置の分布に従って、無線ハンドヘルド装置が右手で保持されていると判定することができる。
【００２９】
図４Ａおよび図４Ｂは、それぞれ、ユーザが左手と右手で無線ハンドヘルド装置を垂直に保持することを示す略ブロック図であり、図４Ｃおよび図４Ｄは、それぞれ、ユーザが左手と右手で水平に無線ハンドヘルド装置を保持することを示す略ブロック図である。図４Ａ、図４Ｂ、図４Ｃ、および図４Ｄでは、ユーザが無線ハンドヘルド装置をカメラから遠く離れた点で保持する。当該カメラは一般に、無線ハンドヘルド装置の下部にある。親指Ａは一般に前面の遠く離れた中点にあり、残りの４つの指Ｂ、Ｃ、Ｄ、およびＥが他の側で無線ハンドヘルド装置を保持して、無線ハンドヘルド装置全体が直立に保持される。したがって、無線ハンドヘルド装置が、無線ハンドヘルド装置上の無線ハンドヘルド装置のハンドヘルド位置の分布が図４Ａまたは図４Ｃに示すのと同じであることを検出したとき、無線ハンドヘルド装置は、当該位置の分布に従って、無線ハンドヘルド装置が左手で保持されていると判定することができる。無線ハンドヘルド装置が、無線ハンドヘルド装置上の無線ハンドヘルド装置のハンドヘルド位置の分布が図４Ｂまたは図４Ｄに示すのと同じであることを検出したとき、無線ハンドヘルド装置は、当該位置の分布に従って、無線ハンドヘルド装置が右手で保持されていると判定することができる。
【００３０】
図５Ａおよび図５Ｂは、それぞれ、ユーザが左手と右手で無線ハンドヘルド装置を保持することを示す別の略ブロック図である。図５Ａまたは図５Ｂでは、ユーザが無線ハンドヘルド装置を保持し、無線ハンドヘルド装置は上下逆である。したがって、無線ハンドヘルド装置が、無線ハンドヘルド装置上の無線ハンドヘルド装置のハンドヘルド位置の分布が図５Ａに示すのと同じであることを検出したとき、無線ハンドヘルド装置は、当該位置の分布に従って、無線ハンドヘルド装置が左手で保持されていると判定することができる。無線ハンドヘルド装置が、無線ハンドヘルド装置上の無線ハンドヘルド装置のハンドヘルド位置の分布が図５Ｂに示すのと同じであることを検出したとき、無線ハンドヘルド装置は、当該位置の分布に従って、無線ハンドヘルド装置が右手で保持されていると判定することができる。
【００３１】
図６Ａおよび図６Ｂは、それぞれ、ユーザが左手と右手で無線ハンドヘルド装置を保持することを示すさらに別の２つの略ブロック図である。図６Ａまたは図６Ｂでは、ユーザはスクリーンに面する手の平で無線ハンドヘルド装置を保持する。親指Ａと人差し指Ｂは無線ハンドヘルド装置の一方の側にあり、薬指Ｄと小指Ｅは無線ハンドヘルド装置の反対側にあり、中指Ｃは無線ハンドヘルド装置の上部中央にある。即ち、ユーザの手全体がスクリーンを覆っている。したがって、無線ハンドヘルド装置が、無線ハンドヘルド装置上の無線ハンドヘルド装置のハンドヘルド位置の分布が図６Ａに示すのと同じであることを検出したとき、無線ハンドヘルド装置は、当該位置の分布に従って、無線ハンドヘルド装置が左手で保持されていると判定することができる。無線ハンドヘルド装置が、無線ハンドヘルド装置上の無線ハンドヘルド装置のハンドヘルド位置の分布が図６Ｂに示すのと同じであることを検出したとき、無線ハンドヘルド装置は、当該位置の分布に従って、無線ハンドヘルド装置が右手で保持されていると判定することができる。
【００３２】
以上では、例を用い、図２Ａ乃至図６Ｂを参照して、一般的なケースでユーザが無線ハンドヘルド装置を保持することを示す略図を説明し、これらの例を用いて、どのように無線ハンドヘルド装置が、無線ハンドヘルド装置のハンドヘルド位置に従って、無線ハンドヘルド装置が左手で保持されているか右手で保持されているかを判定するのを説明したが、本発明はこれらの例に限定されないことは理解される。
【００３３】
例えば、無線ハンドヘルド装置が、無線ハンドヘルド装置が左手で保持されており無線ハンドヘルド装置が左手で保持されている期間が第１の事前設定期間を超えたと検出したとき、無線ハンドヘルド装置は、第１のハンドヘルド・モードにマッチする第１のユーザ・インタフェースを第２のハンドヘルド・モードにマッチする第２のユーザ・インタフェースに更新する。ここで、第２のユーザ・インタフェース上のコントロールのレイアウトは、第１のユーザ・インタフェース上のコントロールのレイアウトを左右反転したものである。当該期間は、秒で測定できる連続的な時間長である。第１の事前設定期間は秒で測定できる事前設定された時間長であり、当該時間長の具体的な値は限定されない。例えば、第１の事前設定期間は３０秒である。
【００３４】
（少なくとも第１のユーザ・インタフェースおよび第２のユーザ・インタフェースを含む）ユーザ・インタフェース上のコントロールには、アプリケーション・アイコンやアンロック画像のようなユーザ・インタフェースに配置した様々なアイコンが含まれるがこれらに限られないことに留意されたい。本発明の当該実施形態におけるアンロック画像には、アンロック・アイコンとアンロック・パスのうち少なくとも１つが含まれるがこれらに限られないことは理解される。当該アンロック画像は、図９に示すアンロック・パスの一端にあるアンロック・アイコンであってもよく、または、アンロック・アイコンが中央にあってもよく、そこから少なくとも２つのアンロック・パスがあり、各アンロック・パスの他端にはアプリケーション・アイコンがあり、当該アプリケーション・アイコンには無線ハンドヘルド装置上の全てのアプリケーション・アイコンのうち１つが含まれるがこれらに限られない。各アプリケーション・アイコンは、テレフォニー、テキスト・メッセージング、カメラ、ラジオ、ブラウザ、マイクロブログ、または地図のようなアプリケーションまたは機能に対応する。アプリケーションアイコンの種類は様々であるので、本明細書では１つずつ列挙することはしない。
【００３５】
ステップ１０１は無線ハンドヘルド装置により実行されることに留意されたい。上で提供したハンドヘルド・モードを自動的に切り替えるための方法では、無線ハンドヘルド装置のハンドヘルド位置が無線ハンドヘルド装置の事前設定した第１のハンドヘルド・モードとマッチしない期間が第１の事前設定期間を超えたことが検出されたとき、第１のハンドヘルド・モードにマッチする第１のユーザ・インタフェースは第２のハンドヘルド・モードにマッチする第２のユーザ・インタフェースに更新される。第２のユーザ・インタフェース上のコントロールのレイアウトは、第１のユーザ・インタフェース上のコントロールのレイアウトを左右反転したものであり、それにより、ハンドヘルド・モードの自動的な切替えを実現し、ユーザがより便利に無線ハンドヘルド装置を片手で使用することができる。
【００３６】
任意的または追加的に、図７に示すように、ステップ１０１の後に、当該方法は以下のステップを含む。１０２では、無線ハンドヘルド装置のハンドヘルド位置が無線ハンドヘルド装置の第２のハンドヘルド・モードにマッチしない期間が第２の事前設定期間を超えたことが検出されたときに、第２のユーザ・インタフェースを第１のユーザ・インタフェースに更新する。
【００３７】
無線ハンドヘルド装置が、無線ハンドヘルド装置のハンドヘルド位置が無線ハンドヘルド装置の第２のハンドヘルド・モードにマッチしない期間が第２の事前設定期間を超えたことを検出したとき、無線ハンドヘルド装置は第２のユーザ・インタフェースを第１のユーザ・インタフェースに更新する。
【００３８】
第２の事前設定期間は秒で測定できる事前設定された時間長であり、当該時間長の具体的な値は限定されないことは理解される。例えば、第２の事前設定期間は２０秒である。
【００３９】
上記のステップ１０２は任意的である。しかし、ステップ１０２を実施することによって、無線ハンドヘルド装置は、事前設定されたハンドヘルド・モードが満たされたときに事前設定されたハンドヘルド・モードに自動的に切り替わることができ、それにより、ユーザの個人的なアプリケーションを満足することができる。例えば、無線ハンドヘルド装置を右手で使用しているユーザが無線ハンドヘルド装置の事前設定されたハンドヘルド・モードを右手モードに設定し、右手が埋まってユーザが無線ハンドヘルド装置を一時的に左手で保持し操作する必要があるとき、無線ハンドヘルド装置は自動的に左手モードに切り替えてユーザの利用を容易にすることができる。ユーザが無線ハンドヘルド装置を右手で保持し操作できるとき、無線ハンドヘルド装置は自動的に右手モードに戻ってユーザの利用を容易にすることができる。
【００４０】
任意的または追加的に、ステップ１０１、即ち、無線ハンドヘルド装置のハンドヘルド位置が無線ハンドヘルド装置の事前設定した第１のハンドヘルド・モードとマッチしない期間が第１の事前設定期間を超えたことが検出されたときに、第１のハンドヘルド・モードにマッチする第１のユーザ・インタフェースを第２のハンドヘルド・モードにマッチする第２のユーザ・インタフェースに更新するステップは、特に、無線ハンドヘルド装置がユーザ・インタフェース・ロック状態にあり、無線ハンドヘルド装置のハンドヘルド位置が無線ハンドヘルド装置の事前設定した第１のハンドヘルド・モードとマッチしない期間が第１の事前設定期間を超えたことが検出されたときに、第１のハンドヘルド・モードにマッチする第１のユーザ・インタフェースを第２のハンドヘルド・モードにマッチする第２のユーザ・インタフェースに更新するステップ、または、無線ハンドヘルド装置がユーザ・インタフェース非ロック状態にあり、無線ハンドヘルド装置のハンドヘルド位置が無線ハンドヘルド装置の当該事前設定した第１のハンドヘルド・モードとマッチしない期間が第１の事前設定期間を超えたことが検出されたときに、第１のハンドヘルド・モードにマッチする第１のユーザ・インタフェースを第２のハンドヘルド・モードにマッチする第２のユーザ・インタフェースに更新するステップを含む。
【００４１】
上述の任意的な解決策では、様々な利用シナリオにおいて無線ハンドヘルド装置が事前設定されたハンドヘルド・モードから別のハンドヘルド・モードに自動的に切り替えることができる。
【００４２】
任意的または追加的に、ステップ１０２、即ち、無線ハンドヘルド装置のハンドヘルド位置が無線ハンドヘルド装置の第２のハンドヘルド・モードにマッチしない期間が第２の事前設定期間を超えたことが検出されたときに、第２のユーザ・インタフェースを第１のユーザ・インタフェースに更新するステップは、特に、無線ハンドヘルド装置がユーザ・インタフェース非ロック状態にあり、無線ハンドヘルド装置のハンドヘルド位置が無線ハンドヘルド装置の第２のハンドヘルド・モードにマッチしない期間が第２の事前設定期間を超えることが検出されたときに、第２のユーザ・インタフェースを第１のユーザ・インタフェースに更新するステップ、または、無線ハンドヘルド装置がユーザ・インタフェース・ロック状態にあり、無線ハンドヘルド装置のハンドヘルド位置が無線ハンドヘルド装置の第２のハンドヘルド・モードにマッチしない期間が第２の事前設定期間を超えることが検出されたときに、第２のユーザ・インタフェースを第１のユーザ・インタフェースに更新するステップを含む。
【００４３】
上述の任意的な解決策では、無線ハンドヘルド装置が、様々な利用シナリオにおいて別のハンドヘルド・モードから事前設定されたハンドヘルド・モードに復帰することができる。
【００４４】
ステップ１０１およびステップ１０２は無線ハンドヘルド装置により実行されることに留意されたい。
【００４５】
第１の事前設定期間と第２の事前設定期間が同一であっても異なってもよいことに留意されたい。第１の事前設定期間または第２の事前設定期間がゼロであってもよく、特に、ニーズに応じてユーザが設定してもよい。明らかに、無線ハンドヘルド装置が工場から出荷されるときにはデフォルト値が無線ハンドヘルド装置に設定される。
【００４６】
実施形態２
図１０は、本発明の実施形態１に従う無線ハンドヘルド装置のブロック図である。無線ハンドヘルド装置の利用シナリオは実施形態１と全く同じであるので、その詳細はここでは再び説明することはしない。
【００４７】
無線ハンドヘルド装置が、少なくとも１つのプロセッサ１００１と少なくとも１つのセンサ１００３を備えてもよい。プロセッサ１００１とセンサ１００３はバス１００４を介して互いに接続される。
【００４８】
場合によっては、無線ハンドヘルド装置がさらに、バス１００４を介して別のコンポーネントに接続されたタッチスクリーン１００２を備えてもよい。
【００４９】
場合によっては、無線ハンドヘルド装置はさらに、バス１００４を介して別のコンポーネントに接続された１つまたは複数のＩ／Ｏ（入出力）コントローラ１００５を備える。１つまたは複数のＩ／Ｏコントローラ１００５は、１つまたは複数のＩ／Ｏ（入出力）装置１００６に１つまたは複数のインタフェースを提供する。
【００５０】
場合によっては、無線ハンドヘルド装置はさらに、バス１００４を介して別のコンポーネントに接続された１つまたは複数の読取専用メモリ（ＲＯＭ）１００７を備える。
【００５１】
場合によっては、無線ハンドヘルド装置はさらに、バス１００４を介して別のコンポーネントに接続された１つまたは複数のランダム・アクセス・メモリ（ＲＡＭ）１００８を備える。
【００５２】
バス１００４は、当業界で周知なブリッジ、コントローラ、および／またはアダプタを介して互いに接続された１つまたは複数のバスを含んでもよい。Ｉ／Ｏ装置１００６は、キーパッド、キーボード、またはカーソルのコントローラを備えてもよい。
【００５３】
本発明の実施形態２では、センサ１００３と、センサ１００３に接続された少なくとも１つのプロセッサ１００１を備えた無線ハンドヘルド装置を提供する。プロセッサ１００１は、センサ１００３が、無線ハンドヘルド装置のハンドヘルド位置が無線ハンドヘルド装置の事前設定した第１のハンドヘルド・モードにマッチしない期間が第１の事前設定期間を超えたことを検出したとき、第１のハンドヘルド・モードにマッチする第１のユーザ・インタフェースを第２のハンドヘルド・モードにマッチする第２のユーザ・インタフェースに更新するように構成される。第２のユーザ・インタフェース上のコントロールのレイアウトは第１のユーザ・インタフェース上のコントロールのレイアウトを左右反転したものである。
【００５４】
特に、センサ１００３が、無線ハンドヘルド装置のハンドヘルド位置が無線ハンドヘルド装置の事前設定した第１のハンドヘルド・モードとマッチしない期間が第１の事前設定期間を超えたことを検出したとき、センサ１００３は、（一定の２進数値または一定の１６進数値のような）対応するシグナル値を少なくとも１つのプロセッサ１００１に出力し、プロセッサ１００１が当該シグナル値を受信した後、プロセッサ１００１は、第１のハンドヘルド・モードにマッチする第１のユーザ・インタフェースを第２のハンドヘルド・モードにマッチする第２のユーザ・インタフェースに更新する。ここで、第２のユーザ・インタフェース上のコントロールのレイアウトは、第１のユーザ・インタフェース上のコントロールのレイアウトを左右反転したものである。
【００５５】
本発明の実施形態２で提供する無線ハンドヘルド装置が、無線ハンドヘルド装置のハンドヘルド位置が無線ハンドヘルド装置の事前設定した第１のハンドヘルド・モードとマッチしない期間が第１の事前設定期間を超えたことを検出したとき、無線ハンドヘルド装置は、第１のハンドヘルド・モードにマッチする第１のユーザ・インタフェースを第２のハンドヘルド・モードにマッチする第２のユーザ・インタフェースに更新する。ここで、第２のユーザ・インタフェース上のコントロールのレイアウトは、第１のユーザ・インタフェース上のコントロールのレイアウトを左右反転したものであり、それにより、ハンドヘルド・モードの自動的な切替えを実現し、ユーザがより便利に無線ハンドヘルド装置を片手で使用することができる。
【００５６】
任意的または追加的に、プロセッサ１００１はさらに、センサ１００３が、無線ハンドヘルド装置のハンドヘルド位置が無線ハンドヘルド装置の第２のハンドヘルド・モードにマッチしない期間が第２の事前設定期間を超えたことを検出したときに、第２のユーザ・インタフェースを第１のユーザ・インタフェースに更新するように構成される。
【００５７】
具体的には、センサ１００３が、無線ハンドヘルド装置のハンドヘルド位置が無線ハンドヘルド装置の第２のハンドヘルド・モードにマッチしない期間が第２の事前設定期間を超えたことを検出したとき、センサ１００３は、（一定の２進数値または一定の１６進数値のような）対応するシグナル値を少なくとも１つのプロセッサ１００１に出力し、プロセッサ１００１が当該シグナル値を受信した後、プロセッサ１００１が第２のユーザ・インタフェースを第１のユーザ・インタフェースに更新する。
【００５８】
上述の任意的な解決策を使用することにより、無線ハンドヘルド装置は、事前設定されたハンドヘルド・モードが満たされたときに当該事前設定されたハンドヘルド・モードに自動的に切り替わることができ、それにより、ユーザの個人的なアプリケーションを満足することができる。例えば、無線ハンドヘルド装置を右手で使用しているユーザが無線ハンドヘルド装置の事前設定されたハンドヘルド・モードを右手モードに設定し、右手が埋まってユーザが無線ハンドヘルド装置を一時的に左手で保持し操作する必要があるとき、無線ハンドヘルド装置は自動的に左手モードに切り替えてユーザの利用を容易にすることができる。ユーザが無線ハンドヘルド装置を右手で保持し操作できるとき、無線ハンドヘルド装置は自動的に右手モードに戻ってユーザの利用を容易にすることができる。
【００５９】
任意的または追加的に、プロセッサ１００１はさらに、無線ハンドヘルド装置がユーザ・インタフェース・ロック状態にあり、センサ１００３が、無線ハンドヘルド装置のハンドヘルド位置が無線ハンドヘルド装置の事前設定した第１のハンドヘルド・モードとマッチしない期間が第１の事前設定期間を超えたことを検出したときに、第１のハンドヘルド・モードにマッチする第１のユーザ・インタフェースを第２のハンドヘルド・モードにマッチする第２のユーザ・インタフェースに更新するように構成される。
【００６０】
具体的には、無線ハンドヘルド装置がユーザ・インタフェース・ロック状態にあるときに、センサ１００３が、無線ハンドヘルド装置のハンドヘルド位置が無線ハンドヘルド装置の事前設定した第１のハンドヘルド・モードとマッチしない期間が第１の事前設定期間を超えたことを検出したとき、センサ１００３は、（一定の２進数値または一定の１６進数値のような）対応するシグナル値を少なくとも１つのプロセッサ１００１に出力し、プロセッサ１００１が当該シグナル値を受信した後、プロセッサ１００１が、第１のハンドヘルド・モードにマッチする第１のユーザ・インタフェースを第２のハンドヘルド・モードにマッチする第２のユーザ・インタフェースに更新する。
【００６１】
上述の任意的な解決策では、様々な利用シナリオにおいて無線ハンドヘルド装置が事前設定されたハンドヘルド・モードから別のハンドヘルド・モードに自動的に切り替えることができる。
【００６２】
任意的または追加的に、プロセッサ１００１はさらに、無線ハンドヘルド装置がユーザ・インタフェース非ロック状態にあり、センサ１００３が、無線ハンドヘルド装置のハンドヘルド位置が無線ハンドヘルド装置の事前設定した第１のハンドヘルド・モードとマッチしない期間が第１の事前設定期間を超えたことを検出したときに、第１のハンドヘルド・モードにマッチする第１のユーザ・インタフェースを第２のハンドヘルド・モードにマッチする第２のユーザ・インタフェースに更新するように構成される。
【００６３】
具体的には、無線ハンドヘルド装置がユーザ・インタフェース非ロック状態にあるときに、センサ１００３が、無線ハンドヘルド装置のハンドヘルド位置が無線ハンドヘルド装置の事前設定した第１のハンドヘルド・モードとマッチしない期間が第１の事前設定期間を超えたことを検出したとき、センサ１００３は、（一定の２進数値または一定の１６進数値のような）対応するシグナル値を少なくとも１つのプロセッサ１００１に出力し、プロセッサ１００１が当該シグナル値を受信した後、プロセッサ１００１は第１のハンドヘルド・モードにマッチする第１のユーザ・インタフェースを第２のハンドヘルド・モードにマッチする第２のユーザ・インタフェースに更新する。
【００６４】
上述の任意的な解決策では、様々な利用シナリオにおいて無線ハンドヘルド装置が事前設定されたハンドヘルド・モードから別のハンドヘルド・モードに自動的に切り替えることができる。
【００６５】
任意的または追加的に、プロセッサ１００１はさらに、無線ハンドヘルド装置がユーザ・インタフェース非ロック状態にあり、センサ１００３が、無線ハンドヘルド装置のハンドヘルド位置が無線ハンドヘルド装置の第２のハンドヘルド・モードにマッチしない期間が第２の事前設定期間を超えたことを検出したときに、第２のユーザ・インタフェースを第１のユーザ・インタフェースに更新するように構成される。
【００６６】
具体的には、無線ハンドヘルド装置がユーザ・インタフェース非ロック状態にあるときに、センサ１００３が、無線ハンドヘルド装置のハンドヘルド位置が無線ハンドヘルド装置の第２のハンドヘルド・モードにマッチしない期間が第２の事前設定期間を超えたことを検出したとき、センサ１００３は、（一定の２進数値または一定の１６進数値のような）対応するシグナル値を少なくとも１つのプロセッサ１００１に出力し、プロセッサ１００１が当該シグナル値を受信した後、プロセッサ１００１が第２のユーザ・インタフェースを第１のユーザ・インタフェースに更新する。
【００６７】
上述の任意的な解決策では、無線ハンドヘルド装置が、様々な利用シナリオにおいて別のハンドヘルド・モードから事前設定されたハンドヘルド・モードに復帰することができる。
【００６８】
任意的または追加的に、プロセッサ１００１はさらに、無線ハンドヘルド装置がユーザ・インタフェース・ロック状態にあり、センサ１００３が、無線ハンドヘルド装置のハンドヘルド位置が無線ハンドヘルド装置の第２のハンドヘルド・モードにマッチしない期間が第２の事前設定期間を超えたことを検出したときに、第２のユーザ・インタフェースを第１のユーザ・インタフェースに更新するように構成される。
【００６９】
具体的には、無線ハンドヘルド装置がユーザ・インタフェース・ロック状態にあるときに、センサ１００３が、無線ハンドヘルド装置のハンドヘルド位置が無線ハンドヘルド装置の第２のハンドヘルド・モードにマッチしない期間が第２の事前設定期間を超えることを検出したとき、センサ１００３は、（一定の２進数値または一定の１６進数値のような）対応するシグナル値を少なくとも１つのプロセッサ１００１に出力し、プロセッサ１００１が当該シグナル値を受信した後、プロセッサ１００１が第２のユーザ・インタフェースを第１のユーザ・インタフェースに更新する。
【００７０】
上述の任意的な解決策では、無線ハンドヘルド装置が、様々な利用シナリオにおいて別のハンドヘルド・モードから事前設定されたハンドヘルド・モードに復帰することができる。
【００７１】
無線ハンドヘルド装置のハードウェアが実行する動作またはハードウェアが対応するソフトウェアと協働して実行する動作に関しては、上述の実施形態１のステップ１０１と１０２の一部または全部を参照することができるので、ここでは繰返しを避けるために詳細については説明しないことに留意されたい。
【００７２】
さらに、コンピュータ可読媒体（または媒体）を提供する。当該媒体は、実行されたときに、上述の実施形態１のステップ１０１と１０２の一部または全部を実行する動作を実施するコンピュータ可読命令を含む。
【００７３】
添付図面が例示的な実施形態の略図にすぎず、添付図面のモジュール、エンティティ、またはプロセスは必ずしも本発明を実施するのに必要ではないことは当業者には理解される。
【００７４】
説明の都合および簡単さのため、以上の装置またはコンポーネントの詳細な動作プロセスについては、上述の方法の実施形態における対応するプロセスを参照できることは当業者には明らかに理解される。したがってその詳細はここでは再び説明することはしない。
【００７５】
本願で提供した幾つかの実施形態では、開示した装置と方法を他の方式で実装してもよいことは理解される。例えば、説明した装置の実施形態は例示的なものにすぎない。例えば、コンポーネントの分割は、論理的な機能分割にすぎず、実際の実装では他の分割であってもよい。例えば、複数のコンポーネントを組み合せるかもしくは別のコンポーネントに統合してもよく、または、幾つかの機能を無視するかまたは実施しなくともよい。さらに、表示または説明した相互接続または直接接続または通信接続を何らかのインタフェースにより実装してもよい。装置またはコンポーネント間の当該間接接続または通信接続を、電気的、機械的、または他の形態で実装してもよい。
【００７６】
さらに、本発明の諸実施形態のコンポーネントを１つのコンポーネントもしくはユニットに統合してもよく、または、当該ユニットの各々が物理的に存在してもよく、または、２つ以上のユニットを１つのコンポーネントまたはユニットに統合してもよい。
【００７７】
機能をソフトウェア機能ユニットの形で実装し、独立な製品として販売または使用するときには、当該機能をコンピュータ可読記憶媒体に格納してもよい。かかる理解のもと、本発明の技術的解決策を本質的に、または先行技術に貢献する部分、または当該技術的解決策の一部をソフトウェア製品の形で実装してもよい。当該ソフトウェア製品は、記憶媒体に格納され、コンピュータ装置（パーソナル・コンピュータ、サーバ、ネットワーク装置等であってもよい）に本発明の諸実施形態で説明した方法のステップの全部または一部を実施するように指示するための幾つかの命令を含む。上述の記憶媒体には、ＵＳＢフラッシュ・ドライブ、取外し可能ハード・ディスク、読取専用メモリ（ＲＯＭ、Ｒｅａｄ−Ｏｎｌｙ  Ｍｅｍｏｒｙ）、ランダム・アクセス・メモリ（ＲＡＭ、Ｒａｎｄｏｍ  Ａｃｃｅｓｓ  Ｍｅｍｏｒｙ）、磁気ディスク、または光ディスクのような、プログラム・コードを格納できる任意の媒体が含まれる。
【００７８】
以上の説明は本発明の特定の実施形態にすぎず、本発明の保護範囲を限定しようとするものではない。本発明で開示した技術的範囲内で当業者が容易に想到する任意の変形または置換えは本発明の保護範囲に入る。したがって、本発明の保護範囲は特許請求の範囲の保護範囲に支配される。
【符号の説明】
【００７９】
１００１  （１つまたは複数の）プロセッサ
１００２  タッチスクリーン
１００３  センサ
１００４  バス
１００５  （１つまたは複数の）Ｉ／Ｏコントローラ
１００６  （１つまたは複数の）Ｉ／Ｏ装置
１００７  （１つまたは複数の）読取専用メモリ
１００８  （１つまたは複数の）ランダム・アクセス・メモリ
【図１】
0005982689.tif 000002
【図２Ａ】
0005982689.tif 000003
【図２Ｂ】
0005982689.tif 000004
【図３Ａ】
0005982689.tif 000005
【図３Ｂ】
0005982689.tif 000006
【図４Ａ】
0005982689.tif 000007
【図４Ｂ】
0005982689.tif 000008
【図４Ｃ】
0005982689.tif 000009
【図４Ｄ】
0005982689.tif 000010
【図５Ａ】
0005982689.tif 000011
【図５Ｂ】
0005982689.tif 000012
【図６Ａ】
0005982689.tif 000013
【図６Ｂ】
0005982689.tif 000014
【図７】
0005982689.tif 000015
【図８Ａ】
0005982689.tif 000016
【図８Ｂ】
0005982689.tif 000017
【図９Ａ】
0005982689.tif 000018
【図９Ｂ】
0005982689.tif 000019
【図１０】
0005982689.tif 000020